(57)【特許請求の範囲】
【請求項１】
推進管とその先端に装備した先導体との周面の軸方向に継手部を設け、既設推進管の継手部と圧入しようとする後行推進管及びその先導体の継手部を係合させて、既設推進管をガイドとして後行推進管の圧入を行う推進工法において、
前記先導体の前胴部周面に設けた、先端面が後方向に向けて内側に入り込んだテーパー状の先行カッタにより、地盤の継手部の圧入部分を先行して切削し、
切削した土砂を、前記先行カッタの近傍に開設した土砂流入口より内部に取り込んで、取り込み直後からオーガスクリューによって搬出しつつ推進を行うことを特徴とした、
推進工法。
【請求項２】
推進管とその先端に装備した先導体との周面の軸方向に継手部を設け、既設推進管の継手部と圧入しようとする後行推進管及びその先導体の継手部を係合させて、既設推進管をガイドとして後行推進管の圧入を行う推進工法において、
継手部内には弾力性を有する詰め物を詰め、
既設推進管の継手部内の詰め物を、圧入しようとする後行推進管及びその先導体の継手部により圧縮しながら、継手部同士を連結させて推進管の圧入を行うと共に、
先導体の前胴部周面に設けた先行カッタにより、地盤の継手部の圧入部分を先行して切削し、
切削した土砂を、前記先行カッタの近傍に開設した土砂流入口より取り込みながら推進を行うことを特徴とした、
推進工法。
【請求項３】
請求項２に記載の推進工法において、
前記詰め物に発泡スチロールを使用することを特徴とした、
推進工法。
【請求項４】
請求項２に記載の推進工法において、
前記詰め物に発泡ウレタンを使用することを特徴とした、
推進工法。
【請求項５】
請求項１乃至４のいずれかに記載の推進工法において、
前記継手部の先端部分に、前記先行カッタで切削した溝内にある玉石や礫の侵入を防止する保護板を装着したことを特徴とする、
推進工法。
【請求項６】
請求項１乃至５のいずれかに記載の推進工法において、
前記先導体の先端部に装備する掘削回転部の周面に、前記先行カッタによって先導体の側壁へ向けて圧密された圧密土砂の切削ビットを付設したことを特徴とする、
推進工法。
【請求項７】
推進管とその先端に装備した先導体との周面の軸方向に継手部を設け、既設推進管の継手部と圧入しようとする後行推進管及びその先導体の継手部を係合させて、既設推進管をガイドとして後行推進管の圧入を行う推進工法に用いる先導体において、
先導体の前胴部周面に設けた、地盤の継手部の圧入部分を先行して切削する、先端面が後方向に向けて内側に入り込んだテーパー状の先行カッタと、
この先行カッタの近傍に開設した、切削した土砂を取り込む土砂流入口とを有しており、
前記土砂流入口より内部に取り込んだ土砂を、取り込み直後からオーガスクリューによって搬出を行うことを特徴とした、
推進管の先導体。
【請求項８】
請求項７に記載の推進管の先導体において、
前記先導体の先端部に装備する掘削回転部の周面に、前記先行カッタによって先導体の側壁へ向けて圧密された圧密土砂の切削ビットを付設したことを特徴とする、
推進管の先導体。
【請求項９】
請求項７又は８に記載の推進管の先導体において、
前記継手部の先端部分に、前記先行カッタで切削した溝内にある玉石や礫の侵入を防止する保護板を装着したことを特徴とする、
推進管の先導体。
【請求項１０】
請求項７乃至９のいずれかに記載の推進管の先導体において、
前記継手部の内部空間に、弾力性を有する詰め物を詰めたことを特徴とする、
推進管の先導体。
【請求項１１】
請求項１０に記載の推進管の先導体において、
前記詰め物に発泡スチロールを使用することを特徴とした、
推進管の先導体。
【請求項１２】
請求項１０に記載の推進管の先導体において、
前記詰め物に発泡ウレタンを使用することを特徴とした、
推進管の先導体。
【発明の詳細な説明】
【０００１】
【産業上の利用分野】
本発明は推進工法及び推進管の先導体に関するものである。
【０００２】
【従来の技術】
推進工法は、図７に示すように、推進管ａの先端に先導体ｂを取り付け、発進坑内で反力受に反力をとって、ジャッキ推力等によって推進管ａを地中に圧入して管きょを布設する工法である。
複数の推進管ａを隣接させて布設する場合は、図７、８に示すように、推進管ａ及び先導体ｂの周面の軸方向に雌継手ｃ１と雄継手ｃ２を設け、先行して圧入された推進管ａの雌継手ｃ１に、圧入しようとする推進管ａの雄継手ｃ２を連結させて、既設推進管ａの雌継手ｃ１をガイドとして後行推進管ａの圧入が行われる。
【０００３】
【発明が解決しようとする課題】
上記の従来技術には、次のような問題点が存在する。
＜イ＞推進管の継手部は管体周面より突出しているため、推進時に大きな土圧を受け、変形あるいは破損するおそれがある。
【０００４】
＜ロ＞既設推進管に沿って後行推進管を圧入する際に、既設推進管の継手部と後行推進管の先導体の継手部との間に、玉石や礫が侵入して噛み込み、継手の変形あるいは破損の原因となる。
【０００５】
＜ハ＞継手部の遊びにより、施工精度が低下する。
【０００６】
【本発明の目的】
本発明は、上記のような問題点を解決するためになされたもので、継手部の変形あるいは破損を防止し、かつ施工精度の向上を図ることができる推進工法及び推進管の先導体を提供することを目的とする。
【０００７】
【課題を解決するための手段】
即ち、本発明は、推進管とその先端に装備した先導体との周面の軸方向に継手部を設け、既設推進管の継手部と圧入しようとする後行推進管及びその先導体の継手部を連結させて、既設推進管をガイドとして後行推進管の圧入を行う推進工法において、継手部内には弾力性を有する詰め物を詰め、既設推進管の継手部内の詰め物を、圧入しようとする後行推進管及びその先導体の継手部により圧縮しながら、継手部同士を連結させて推進管の圧入を行うと共に、先導体の前胴部周面に設けた先行カッタにより、地盤の継手部の圧入部分を先行して切削し、切削した土砂を、前記先行カッタの近傍に開設した土砂流入口より取り込みながら推進を行うことを特徴とした、推進工法及び推進管の先導体である。
【０００８】
【実施例】
以下、図面を参照しながら、本発明の一実施例について説明する。
＜イ＞先導体の構造
（１）全体の構造
先導体の全体構造は、図１に示すように、先導体の前胴部１と後胴部２、前胴部１の前面に装備される掘削用カッタ−ヘッド３、先導体内部の軸方向に配置される土砂搬出用オ−ガスクリュ−３１よりなる。
なお、泥水搬送用モ−タ及び配管類を配備した流体圧送方式にも本発明を適応させることができる。
【０００９】
（２）継手部
図１、２に示すように、先導体後胴部２の周面の軸方向に、等間隔をおいて２箇所に雌継手４を設ける。
図１、２は、最初に布設する基準推進管の先頭に装備する先導体であるため、両継手ともに雌継手４が装着されている。
雌継手４は、例えば図２に示すように、Ｌ字鋼を反転させて向かい合わせ、先導体の軸方向にスリットが形成されるよう装着する。
【００１０】
（３）保護板
雌継手４の先端部及びその近傍の側部には、鋼板よりなる先端保護板５と側部保護板５１を張り付ける。
これによって、推進中に雌継手４の先端部分より、玉石や礫が内部に侵入するのを防止することができる。
【００１１】
（４）発泡スチロ−ル
雌継手４の内部空間には、図２に示すように、弾力性を有する詰め物６を詰める。
この詰め物６には、例えば発泡スチロ−ルや発泡ウレタン等を使用できる。
詰め物６を雌継手４内に詰めることによって、推進中に玉石や礫が雌継手４内に侵入するのを防止することができる。
後述の雄継手との連結時には、この詰め物６を雄継手の推進により圧縮しながら、雌雄の継手が連結されることになる。
【００１２】
（５）先行カッタ
先行カッタ１１は、図１、３に示すように、先導体の前胴部１の周面に、後胴部２の継手部の延長上に設けられており（従って図１、３では２箇所）、地盤の継手部の圧入部分を先行して切削するためのものである。
この先行カッタ１１は、鋼板により後方の継手部と同じ断面形状に形成され、その先端面は内側に入り込むテ−パ−状に形成されている。
なお、先行カッタ１１の先端面にはハ−ドフェ−シング加工を施すとよい。
【００１３】
（６）土砂流入口
各先行カッタ１１の直前の前胴部１の周面には、土砂流入口１２が開設されている。
先行カッタ１１により切削された土砂は、この土砂流入口１２より内部に取り込まれ、オ−ガスクリュ−３１によって坑外に搬出される。
【００１４】
（７）切削ビット
先導体前胴部１の先端部に装備するカッタ−ヘッド３の周面には、切削ビット１３を付設する。
この切削ビット１３は、先行カッタ１１で切削した土砂によって、カッタ−ヘッド３の周面が摩耗するため、その摩耗を防止するために取付けるものである。
【００１５】
＜ロ＞基準推進管の圧入準備
図４に示すように、上記のように構成した先導体の後胴部２の尾端に、最初に埋設する基準推進管７ａを連結する。
基準推進管７ａの周面の軸方向には、先導体後胴部２に付設した雌継手４の延長上に、同形の雌継手４１を付設する。
これらの雌継手４１の先端部分にも、先端保護板５と側部保護板５１を張り付け、また内部には発泡スチロ−ル等の詰め物６を詰める。
【００１６】
＜ハ＞基準推進管の圧入
発進坑内に先導体を搬入し、その尾端に基準推進管７ａを継ぎ足しながら、発進坑内で反力受に反力をとって、ジャッキ推力等によって圧入していく。
このとき、先導体前胴部１に設けた先行カッタ１１により、地盤の継手部の圧入部分を先行して切削し、切削した土砂を土砂流入口１２より取り込みながら推進が行われるため、オ−ガスクリュ−３の地盤内への圧入が容易に行われる。
また、先端保護板５と側部保護板５１及び詰め物６によって、雌継手４内に玉石や礫が侵入するのを防止することができる。
【００１７】
＜ニ＞後行推進管の圧入準備
図５に示すように、基準推進管７ａと継手部を介して連結して付設される後行推進管７ｂ、７ｃ・・・は、雌継手４１と、その対向する側に雌継手４１内に嵌合する略Ｔ字状の雄継手８とを有している。
また、これらの後行推進管７ｂ等の先端に装備される先導体後胴部２にも、図６に示すように、前述の雌継手４と、その対向する位置に略Ｔ字状の雄継手８１を付設する。
この雄継手８１の先端部分には、雌継手４と同様に先端保護板９と側部保護板９１を張り付ける。
なお、雄継手８１の延長上の先導体前胴部１の周面には、先行カッタ１１及び土砂流入口１２等を設ける必要はない。
【００１８】
＜ホ＞後行推進管の圧入
図５に示すように、基準推進管７ａの布設完了後、その雌継手４１の尾端に、先導体後胴部２の雄継手８１及び後行推進管７ｂの雄継手８を連結し、雄継手８により雌継手４１内の詰め物６を圧縮しながら、基準推進管７ａをガイドとして圧入を行う。
このとき、雌継手４１と雄継手８間には詰め物６が介在するため、継手部の遊びが少なく、高精度な布設が可能となる。
後行推進管７ｂの布設が終了したら、後行推進管７ｃ以下、上記の手順を繰り返して所定数の推進管を布設し、管きょの施工を完了させる。
【００１９】
【本発明の効果】
本発明は以上説明したようになるため、次のような効果を得ることができる。
＜イ＞地盤の継手の圧入部分を、カッタにより先行して切削し、土砂流入口より切削土砂を取り込むため、継手部の圧入抵抗が減少し、継手部の変形や破損を防止することができる。
【００２０】
＜ロ＞継手部の先端部分には保護板を取り付け、雌継手内には詰め物を詰めるため、継手部内への玉石や礫あるいは裏込材の侵入を防止できる。
従って、玉石や礫の噛み込みによる、継手の変形あるいは破損を防止できる。
【００２１】
＜ハ＞雌継手内に詰めた詰め物により、継手部の遊びが制限されるため、推進管の打設精度が向上する。
【図面の簡単な説明】
【図１】先導体の説明図
【図２】図１の  ＩＩＩ−ＩＩＩ  断面図
【図３】図１のＩＩ−ＩＩ断面図
【図４】推進方法の説明図
【図５】推進管の連結付設状態の説明図
【図６】後行先導体の説明図
【図７】従来技術の説明図
【図８】従来技術の説明図
【図１】
0003598470.tif 000002
【図２】
0003598470.tif 000003
【図３】
0003598470.tif 000004
【図４】
0003598470.tif 000005
【図５】
0003598470.tif 000006
【図６】
0003598470.tif 000007
【図７】
0003598470.tif 000008
【図８】
0003598470.tif 000009